(57)【要約】【課題】動画・静止画同時撮影をする際、動きを撮影する動画像モードでは被写体の動きを表現するために広角での撮影を行う必要がある。一方、一瞬を切り取って撮影する静止画は、高解像度で望遠で撮影を行う必要がある。そこで、２種類の画像の相矛盾する要望を解決し、広角の画像とは別に、同じタイミングで望遠の画像で、しかも高解像度の画像を撮影できる撮像装置を提供することである。【解決手段】動画撮影と、静止画撮影を同時に撮影可能な撮像装置において、前記動画撮影は、センサ内の画素を第一の間隔にて間引きながら読み取り、前記静止画撮影は、センサの全画面範囲よりも狭い範囲内を動画撮影よりも高解像度で読み取ることを特徴とする構成とした。【選択図】  図１
2012095216.tif 000002
【特許請求の範囲】
【請求項１】
２種類以上の撮影モードをもつ撮像装置において
第一の撮影と第二の撮影を同時に撮影可能で、
第一の撮影は
センサ内の画素を第一の間隔にて間引きながら読み取る（ＦｒａｍｅＡ）
第二の撮影は
センサの全画面範囲よりも狭い範囲内を間引かずに読み取る（ＦｒａｍｅＢ）
ことを特徴とする撮像装置。
【請求項２】
２種類以上の撮影モードをもつ撮像装置において
第一の撮影と第二の撮影を同時に撮影可能で、
第一の撮影は
センサ内の画素を第一の間隔にて間引きながら読み取る（ＦｒａｍｅＡ）
第二の撮影は
センサ内の画素を第一の間隔より細かい第二の間隔にて読み取る（ＦｒａｍｅＣ）
ことを特徴とする撮像装置。
【請求項３】
位置設定手段をもち
前記第二の撮影の、前記全画面範囲よりも狭い範囲は
前記位置設定手段（１０４）によって前記範囲の位置を変更可能である
ことを特徴とする請求項１又は請求項２に記載の撮像装置。
【請求項４】
倍率変更手段をもち（１０５）
前記第二の撮影の狭い範囲のサイズを変更可能（ＦｒａｍｅＢ“）である
ことを特徴とする請求項１乃至請求項３の何れかに１項に記載の撮像装置。
【請求項５】
倍率変更手段（１０５）をもち
前記第一の撮影の広い範囲のサイズを変更可能（ＦｒａｍｅＤ）である
ことを特徴とする請求項１乃至請求項４の何れかに１項に記載の撮像装置。
【請求項６】
前記第一の撮影の解像度（ＦｒａｍｅＡ）と、
前記第二の撮影の解像度（ＦｒａｍｅＢ）とを同一にする
ことを特徴とする請求項１乃至請求項５の何れかに１項に記載の撮像装置。
【請求項７】
前記第一の撮影は、動画撮影（Ｍｆｒａｍｅ１）であり、
前記第二の撮影は、静止画撮影（ｐｆｒａｍｅ１）である
ことを特徴とする請求項１乃至請求項６の何れかに１項に記載の撮像装置。
【請求項８】
静止画撮影開始手段（１０２）をもち
前記の動画撮影中（１０３）、
前記の静止画撮影の開始（ｆ１）と中止（ｆ４）をリアルタイムで設定できる
ことを特徴とする請求項７に記載の撮像装置。
【請求項９】
動画撮影と、静止画撮影を同時に撮影可能な撮像装置において、
前記動画撮影は
センサ内の画素を第一の間隔にて間引きながら読み取り（Ｍｆｒａｍｅｅ１）
前記静止画撮影は
センサの全画面範囲よりも狭い範囲内を動画撮影よりも高解像度で読み取る（ｐｆｒａｍｅ１）
ことを特徴とする撮像装置。
【発明の詳細な説明】
【技術分野】
【０００１】
本発明は、撮像装置に関し、特に２種類の画像を取得できるものに関するものである。
【背景技術】
【０００２】
従来からも動画撮影中に静止画を撮影するカメラが数多く開発されている。これらのカメラは、水平・垂直の画素を間引くことで、動画像撮影や、ズーム撮影を行っている。
【０００３】
例えば、特許文献１では、動画撮影時は、複数の画素を混合させて間引き読み出しし、静止画として高解像度撮影する際は、複数画素の情報を混合することなく読み出す技術が開示されている。
【０００４】
特許文献２では、電子ズームを行う際に画素の間引き読み出しを行い、動画中に静止画を撮影する時は、間引き率を下げ高解像度の読み出しモードに切り替える発明が開示されている。
【先行技術文献】
【特許文献】
【０００５】
【特許文献１】特開平４−３２３９７３号公報
【特許文献２】特許第４０１８７２７号明細書
【発明の概要】
【発明が解決しようとする課題】
【０００６】
しかしながら、上述の特許文献に開示された従来技術では、２つの種類の撮影画像は、同一画角において解像度を変化させた画像であり、撮影者の意図にあった画角の静止画像と動画像を取得することはできない。
【０００７】
スポーツ撮影等をする際、選手などの被写体の動きを撮影する動画撮影では被写体の動きを表現するために広角での撮影を行う必要がある。一方、一瞬を切り取って撮影する静止画撮影では、選手をズームアップし高解像度で視線や表情を表現するために望遠で撮影を行う必要がある。
【０００８】
さらに、動画像は、ＳＤやＨＤ等の解像度の違いはあれども、各規格の解像度での撮影が求められてはいるが静止画ほどの高解像度は求められていない。一方、静止画は、先に挙げた選手の視線や、表情を表現する必要があるために高解像度をも必要とする。
【０００９】
これまでも、動画像から静止画像を切り出す機能のカメラも提案されているが、そこから切り出した望遠画角の画像は、解像度が荒くなり、上記の要望を満たすことができていなかった。
【００１０】
また、特許文献２に開示されるような発明において、動画時の読み出し方法のまま静止画を解像度で読み出そうとすると動画撮影を一次中断する等しなくてはならず、動画撮影中の静止画撮影をシームレスに行うことができていなかった。
【００１１】
そこで、本発明の目的は、２種類の画像の相矛盾する要望を解決することを可能にした。つまり、広角の画像とは別に、同じタイミングで望遠の画像で、しかも高解像度の画像を撮影できる撮像装置を提供することである。
【課題を解決するための手段】
【００１２】
上記目的を達成するために、
請求項１の発明では
２種類以上の撮影モードをもつ撮像装置において
第一の撮影と第二の撮影を同時に撮影可能で、
第一の撮影は
センサ内の画素を第一の間隔にて間引きながら読み取る（ＦｒａｍｅＡ）
第二の撮影は
センサの全画面範囲よりも狭い範囲内を間引かずに読み取る（ＦｒａｍｅＢ）
撮像装置。
【００１３】
請求項２の発明では
２種類以上の撮影モードをもつ撮像装置において
第一の撮影と第二の撮影を同時に撮影可能で、
第一の撮影は
センサ内の画素を第一の間隔にて間引きながら読み取る（ＦｒａｍｅＡ）
第二の撮影は
センサ内の全画面範囲よりも狭い範囲内を第一の間隔より細かい第二の間隔にて間引きながら読み取る（ＦｒａｍｅＣ）
撮像装置。
【００１４】
請求項３の発明では
前記請求項１〜２の撮像装置において
位置設定手段をもち
前記第二の撮影の、前記全画面範囲よりも狭い範囲は
位置設定手段（１０４）によって中心位置を変更可能な
撮像装置。
【００１５】
請求項４の発明では
前記請求項１〜３の撮像装置において
倍率変更手段（１０５）をもち
前記第二の撮影の狭い範囲のサイズを変更可能な（ＦｒａｍｅＢ“）
撮像装置。
【００１６】
請求項５の発明では
前記請求項１〜４の撮像装置において
倍率変更手段（１０５）をもち
前記第一の撮影の広い範囲のサイズを変更可能な（ＦｒａｍｅＤ）
撮像装置。
【００１７】
請求項６の発明では
前記請求項１〜５の撮像装置において
前記第一の撮影の解像度（ＦｒａｍｅＣ）と、
前記第二の撮影の解像度（ＦｒａｍｅＢ）とを同一にする
撮像装置。
【００１８】
請求項７の発明では
前記請求項１〜６の撮像装置において
前記第一の撮影は、動画撮影（Ｍｆｒａｍ１）であり、
前記第二の撮影は、静止画撮影（ｐｆｒａｍｅ１）である
撮像装置。
【００１９】
請求項８の発明では
前記請求項７の撮像装置において
静止画撮影開始手段（１０２）をもち
前記の動画撮影中（１０３）、
前記の静止画撮影の開始（ｆ１）と中止（ｆ４）をリアルタイムで設定できる
撮像装置。
【００２０】
請求項９の発明では
動画撮影と、静止画撮影を同時に撮影可能な撮像装置において、
前記動画撮影は
センサ内の画素を第一の間隔にて間引きながら読み取り（Ｍｆｒａｍｅ１）
前記静止画撮影は
センサの全画面範囲よりも狭い範囲内を動画撮影よりも高解像度で読み取る（ｐｆｒａｍｅ１）
撮像装置。
【発明の効果】
【００２１】
本発明によれば広角の画像とは別に、同じタイミングで望遠の画角で、しかも高解像度の画像を撮影できる撮像装置を提供することができる。
【図面の簡単な説明】
【００２２】
【図１】本実施例のシステム図
【図２（ａ）】本発明の一実施形態における、デジタルカメラにおける固体撮像装置の配置と読み出し画素を示した図である。
【図２（ｂ）】本発明の一実施形態における、デジタルカメラにおける固体撮像装置の配置と読み出し画素を示した図である。
【図２（ｃ）】本発明の一実施形態における、デジタルカメラにおける固体撮像装置の配置と読み出し画素を示した図である。
【図２（ｄ）】本発明の一実施形態における、デジタルカメラにおける固体撮像装置の配置と読み出し画素を示した図である。
【図２（ｅ）】本発明の一実施形態における、デジタルカメラにおける固体撮像装置の配置と読み出し画素を示した図である。
【図３（ａ）】本発明の一実施形態における、作画例を示す図である。
【図３（ｂ）】本発明の一実施形態における、作画例を示す図である。
【図３（ｃ）】本発明の一実施形態における、作画例を示す図である。
【図３（ｄ）】本発明の一実施形態における、作画例を示す図である。
【図３（ｅ）】本発明の一実施形態における、作画例を示す図である。
【図３（ｆ）】本発明の一実施形態における、作画例を示す図である。
【図３（ｇ）】本発明の一実施形態における、作画例を示す図である。
【図３（ｈ）】本発明の一実施形態における、作画例を示す図である。
【図４（ａ）】本発明の一実施形態における、作画例を示す図である。
【図４（ｂ）】本発明の一実施形態における、作画例を示す図である。
【図４（ｃ）】本発明の一実施形態における、作画例を示す図である。
【図４（ｄ）−１】本発明の一実施形態における、作画例を示す図である。
【図４（ｄ）−２】本発明の一実施形態における、作画例を示す図である。
【図４（ｄ）−３】本発明の一実施形態における、作画例を示す図である。
【図４（ｅ）−１】本発明の一実施形態における、作画例を示す図である。
【図４（ｅ）−２】本発明の一実施形態における、作画例を示す図である。
【図４（ｅ）−３】本発明の一実施形態における、作画例を示す図である。
【図４（ｅ）−４】本発明の一実施形態における、作画例を示す図である。
【図５（ａ）】本発明の一実施形態における、デジタルカメラにおける固体撮像装置の配置と読み出し画素を示した図である。
【図５（ｂ）】本発明の一実施形態における、デジタルカメラにおける固体撮像装置の配置と読み出し画素を示した図である。
【図６】本発明の一実施形態における、固体撮像装置の画素読み出しとスイッチのタイミングチャートを示した図である。
【発明を実施するための形態】
【００２３】
以下に、本発明の好ましい実施の形態を、添付の図面に基づいて詳細に説明する。図１は、本発明の実施形態にかかわるシステム構成図である。
【実施例１】
【００２４】
以下、図を参照して、本発明の第１の実施例による、撮像装置であるデジタルカメラについて説明する。
【００２５】
１０１はデジタルカメラ全般を制御する制御ＣＰＵ，１０２はレリーズスイッチ、１０３は動画撮影開始スイッチ。１０４は十字キーや、回転ダイヤルなどによって実現される方向指示スイッチ。１０５は倍率変更スイッチ。１０６はその他の各種スイッチ。１１０はレンズ、１１２はタイミングジェネレータ等で構成される撮像ドライバーで、固体撮像素子１１３や撮像信号処理回路１１４に各種タイミング信号を出力する。１１３は固体撮像素子。１１４は固体撮像素子１１３より出力される画像信号に各種の補正、Ａ／Ｄ変換、画像データに各種の補正を行う撮像信号処理回路。１１５は画像データを一時的に記憶したり、制御ＣＰＵ１０１の演算結果を一時的に記憶したりするためのメモリ部。１１６は、撮影画像の確認や、メニュー画面などを表示するＴＦＴ等のモニター装置。１１７は、画像データの記録または読み出しを行うための半導体メモリやＨＤＤ等の記録媒体。
【００２６】
図２（ａ）は、本実施形態のデジタルカメラに用いられるＣＭＯＳイメージセンサなどの固体撮像素子１１３の画素の構成を示した例である。電気的な動作は特許文献２の図２に詳しく説明されているので省略し、その動作について説明する。
【００２７】
なお、本説明では、説明の簡単化のために画素を少ない例で説明するが、実用ではさらに高解像度の固体撮像素子が扱われることが考えられる。
【００２８】
さらに、実際の固体撮像素子１１３の画素配列は、Ｒ（赤）、Ｇ（緑）、Ｂ（青）の各画素が周期的に並んだベイヤ配列にて構成されているが、これも説明の簡単化の為ベイヤ配列の４画素を１画素として扱い、色フィルタなどの概念を省くこととする。
【００２９】
図２（ｂ）の固体撮像素子の全画素は、水平６４画素、垂直３６画素に配置されている。
【００３０】
これら全部の画素を読み出した場合の広角の画角とする。
【００３１】
図２（ｃ）は、この固体撮像素子を「間引き読み出し」する場合の動作例である。この固体撮像素子の広角の画角において、全画素を読み出すと、読み出しに時間もかかる。撮影したデータに必要とされる解像度が、全画素を読み出した場合より低い場合は、間引き読み出しをすればよい。そこで、黒く塗りつぶした正方形部分の画素のみを読み出す間引き読み出しを行う。ここでは、水平方向垂直方向とも４画素について３画素を読み飛ばしているので１／４の間引き率となっている。
【００３２】
この読み出し方法は、撮像ドライバー１１２によって、間引き読み出しのタイミングを作り、固体撮像素子の任意の画素のみを読み出す。画像データは、水平方向、垂直方向とも１／４であるので、総読み出し量はその二乗の１／１６となり、読み出し時間も１／１６となる。
【００３３】
図２（ｄ）は、本固体撮像素子を「部分詳細読み出し」する場合の動作例である。本発明では、広角画角の撮影時は、画像データの必要部分のみの画像情報を読み出すように撮像ドライバー１１２を駆動することで部分読み出しを行う。
【００３４】
図２（ｄ）では、総画素の水平方向に５、垂直方向に２１の位置から読み出しを開始する例で示している。この座標を（５，２１）とする。そこから読み出す情報量は、水平方向では２４個分である（２８，２１）まで読み出した後は改行し（５，２２）から読み出しを再開している。以降、水平読み出しは、毎行５列目から２８列目まで読み出してから改行を行い最終行である３６行目まで読み出しを繰り返している。最後の画素は（２８，３６）となる。
【００３５】
次いで、図２（ｅ）は、本固体撮像素子「部分間引き読み出し」する場合の動作例である。図２（ｄ）を用いて説明した「部分詳細読み出し」と同等の広角の画角撮影を行うが、撮像ドライバー１１２の駆動をさらに間引き読み出ししている。図２（ｄ）と同様に、総画素の水平方向に５、垂直方向に２１の位置から読み出しを開始する例で示している。この座標を（５，２１）とする。そこから読み出す情報は、水平方向で２４個分の画角であるが、１／２の間引き率で読み出すので、情報としては１２列分のみを取得する。以降、水平読み出しも、１行飛ばして、２３行目、２５行目と改行し、最終行は３５行目まえ読み出しを繰り返す。よって、最後の画素は（２７，３５）となる。
【００３６】
これら３つの種類の読み出し方法による撮影を実際の撮影の例で示したのが図３である。図３（ａ）は本発明のデジタルカメラのレンズ１１０を通して、固体撮像素子１１３全体に投影されている画像データである。図３（ｂ）は、図２（ｃ）で示した広角の画角と、図２（ｄ）を使って示した望遠の画角を示している。広角の画角がＦｒａｍｅＡであり、望遠の画角がＦｒａｍｅＢである。
【００３７】
これを図２（ｃ）で示した間引き読み出しをした場合は、図３（ａ）の画像情報を全体（ＦｒａｍｅＡ）から間引き読み出しすることとなり、それによって得られた画像データは図３（ｃ）のようになる。画角は、図３（ａ）とかわらない広角であるが、間引き読み出しを行っているので、画像情報量が少なくなっている。
【００３８】
図２（ｄ）を使って示した「部分詳細読み出し」を行うと、図３（ｂ）のＦｒａｍｅＢの枠内の部分のみを読み出す事となり、それを読み出した画像データは図３（ｄ）のようになる。画角は、図３（ｃ）よりも狭い望遠画角となっている。さらに、読み出し画素数が多いため画像情報量は、図３（ｃ）よりも多くなっている。
【００３９】
図２（ｅ）を使って示した「部分間引き読み出し」を行うと、図３（ｂ）のＦｒａｍｅＢの枠内をさらに間引き読み出しすることとなり、それを読み出した画像データは図３（ｅ）のようになる。画角は、図３（ｄ）と同じ望遠画角となっているが、読み出し画素数が１／４と少ないため、画像情報量も図３（ｄ）の１／４と少なくなっている。
【００４０】
尚、本実施例では、実施例２以降の説明と共通化させるために、広角の画角の枠（ＦｒａｍｅＡ）は１６：９、望遠の画角の枠（ＦｒａｍｅＢ）は２：３となるようなアスペクト比（画素配置）となるような例で説明したが、広角と望遠のアスペクト比が同一となる場合ももちろん本発明の範囲内である。３：４のアスペクト比や１：１のアスペクト比など、その比率のバリエーションを限定するものではない。
【実施例２】
【００４１】
以下、図等を参照して、本発明の第２の実施例による、撮像装置について説明する。
【００４２】
システム構成としては実施例１の図１の構成と同じである。実施例１での図３（ｄ）の画像では、画角が狭く、やや広角に設定しようとした場合の動作を説明する。
【００４３】
本撮像装置であるデジタルカメラのモニタ装置１１６には、図３（ｂ）のような画面が表示されている。撮影者がこの倍率を変更しようとする時は、倍率変更手段であるところの倍率変更スイッチ１０５を操作する。例えば図３（ｄ）よりも１．５倍程広角側に広げたい場合、倍率変更スイッチ１０５によって望遠側に１．５倍広げることを選択する。
【００４４】
この操作がされた時の画像情報の範囲を示した物が図３（ｆ）である。１．５倍となった範囲の位置指定については、全体制御ＣＰＵ１０１内のプログラム方法によって異なる形態となる。例えば、撮影枠の位置を左上位置基準で考えた場合（５，２１）の座標基準で１．５倍の範囲を取得したいが、（５，２１）基準で１．５倍の範囲であるとＦｒａｍｅＢ‘のように右下側の座標は（４０，４４）となってしまい、本実施例の固体撮像素子の画素範囲外となってしまう。そこで、全体制御ＣＰＵ１０１の制御プログラムにより自動的に位置補正が行われ（５，１３）−（４０，４４）の範囲のＦｒａｍｅＢ“が指定される。
【００４５】
もしこのとき、撮影者の意図した構図とならなかった場合は、第二の撮影範囲の位置を変更することが可能である。この場合、位置設定手段であるところの方向指示スイッチ１０４により、枠位置の変更を行う。
【００４６】
もし３画素分上方向に移動したい場合、撮影者は方向指示スイッチ１０４により３個上方向であることを指定する。
【００４７】
それによって得られた枠は、（５，１０）−（３６，４４）の範囲のＦｒａｍｅＣとなる。
【００４８】
撮影された第二の画像は、固体撮像素子１１３のＦｒａｍｅＣ内の画素で取り込まれた画像データとなり、図３（ｇ）の画像データとなる。
【００４９】
このとき、１．５倍間引きを行って読み取れば、画像データは実施例１の図３（ｄ）と同等の画像情報量となる。
【００５０】
なお、構図確認や、画角確認として、本実施例では、モニタ装置１１６を用いて説明したが、光学ファインダー上等に第一の撮影範囲を表示し、望遠画角の画像は、スーパーインポーズ表示して撮影者に示してもよい。
【００５１】
次に第一の撮影である広角の画角の撮影枠であるＦｒａｍｅＡも変更する場合を説明する。撮影者は、その他各種スイッチ１０６を操作し、サイズ変更や移動する枠をＦｒａｍｅＢからＦｒａｍｅＡへと変更する。その後、サイズを変更するために倍率変更スイッチ１０５を操作し、位置を変更するために方向指示スイッチ１０４を操作する。そのようにして指定された範囲が図３（ｈ）のＦｒａｍｅＤである。
【００５２】
この状態で、撮影するとＦｒａｍｅＢで撮影された画像は図３（ｇ）であり、ＦｒａｍｅＤで撮影された画像は図３（ｈ）である。ここでは、２つの画像が同じ画像情報量となるように、ＦｒａｍｅＢ、ＦｒａｍｅＤ枠内とも同じ間引き率での例で示したが、その他各種スイッチ１０６各々別の間引き率に設定することも可能である。
【実施例３】
【００５３】
以下、図等を参照して、本発明の第３の実施例による撮像装置について説明する。
【００５４】
システム構成は、実施例１の図１の構成により実現可能であり、第一の撮影である動画撮影と第二の撮影である静止画撮影が同時にシームレスに行われる場合について説明する。
【００５５】
図４（ａ）は、スキー大会などのスポーツの様子を示している。このとき、動画撮影としては、選手であるところの主被写体がｏｂｊｅｃｔ１位置からｏｂｊｅｃｔ２の位置，ｏｂｊｅｃｔ３の位置、ｏｂｊｅｃｔ４の位置へ移動する動きを捉えたい。全体的な位置における選手の動きを捉えたいため、全体的なフレーミングはあまり変えない方が、視聴者にとっても観やすい映像となる。
【００５６】
一方、静止画撮影は、動画とは画角も、フレーミングも異なった物が必要となる。静止画撮影では、選手であるところの主被写体が、ｏｂｊｅｃｔ１の位置にある時は、ｏｂｊｅｃｔ１を中心にズームアップし、高精細な画像で捉えたい。ｏｂｊｅｃｔ２の位置にある時は、ｏｂｊｅｃｔ２を中心にズームアップし、高精細な画像で捉えたい。ｏｂｊｅｃｔ３の位置にある時は、ｏｂｊｅｃｔ３を中心にズームアップし、高精細な画像で捉えたい。このように、フレーミング枠が次々と変化することになる。
【００５７】
本実施例では、説明の簡単化の為に動画撮影部のフレーミングは固定した状態とし、その上で、静止画のフレーミングを変化する場合の説明を行う。
【００５８】
ｏｂｊｅｃｔ１の位置に選手であるところの主被写体がある時の本撮像装置の撮影の様子を図４（ｂ）に示す。Ｍｆｒａｍｅ１は動画撮影の撮影枠。ｐｆｒａｍｅ１が静止画撮影の撮影枠である。
【００５９】
ついで、ｏｂｊｅｃｔ２、ｏｂｊｅｃｔ３の位置に選手であるところの主被写体が移動した時の本撮像装置の撮影の様子の移り変わりを図４（ｃ）に示す。今回の説明では、動画撮影範囲は変更しないので、Ｍｆｒａｍｅ１の動画撮影の撮影枠には変更がない。静止画撮影の撮影枠が、ｏｂｊｅｃｔ１の撮影時は、ｐｆｒａｍｅ１、ｏｂｊｅｃｔ２の撮影時は、ｐｆｒａｍｅ２、ｏｂｊｅｃｔ３の撮影時は、ｐｆｒａｍｅ３と、時刻が進むことによって変化している。
【００６０】
ｏｂｊｅｃｔ１の位置に選手であるところの主被写体がある時の固体撮像素子１１３における読み出し範囲を示した図が図５（ａ）である。動画撮影枠であるＭｆｒａｍｅ１は、全画素範囲となっており、６４×３６ピクセルの範囲が割り当てられている。静止画撮影枠であるｐｆｒａｍｅ１は、（２２，９）−（４５，２４）となっている。動画撮影枠内であるＭｒａｍ１内は、１／４間引き読み出しとなっており図中の黒く塗りつぶした正方形部分のみ読み出す事になる。よって、動画撮影の読み出しピクセル数は１６×９＝１４４ピクセルとなる。静止画撮影枠であるｐｆｒａｍｅ１内は、全画素読み出しとなっており、２４×１６＝３８４ピクセルと、動画よりも多い画素数を使用して撮影されている。
【００６１】
ｏｂｊｅｃｔ２の位置に選手であるところの主被写体がある時の固体撮像素子１１３における読み出し範囲を示した図が図５（ｂ）である。動画撮影枠であるＭｆｒａｍｅ１は、変わらず全画素範囲の１／４間引き読み出しとなっており１６×９＝１４４ピクセルを読み出していることは変わらない。静止画撮影枠であるｐｆｒａｍｅ２は、ｐｆｒａｍｅ１（２２，９）−（４５，２４）に対し、水平方向で１５、垂直方向に４移動した（３７，１３）−（６０，２８）となっている。静止画撮影枠ｐｆｒａｍｅ１からｐｆｒａｍｅ２への移動方法は後述する。
【００６２】
次いで、動画撮影と静止画撮影のタイミングを示したのが図６である。ハイビジョン撮影等の規格で、例えば１０８０ｐ３０という形式は１９２０×１０８０ピクセルで読み出し秒当たり３０フィールド（３０フレーム）で送信される信号を指す。本動画撮影の動画規格としては説明図の簡単化のために解像度は１６×９＝１４４ピクセルで読み出すこととし、読み出しは秒あたり３０フィールド（３０フレーム）として説明する。
【００６３】
図６の１番目の行ｔは、時刻であり、１駒が１／３００秒で示されている。今回の説明での規格では、秒間３０フレームであるので、ｔ＝３０毎（０．１秒毎）に１枚の動画像を取得していれば、動画撮影は規格内に滞りなく完了するということになる。２番目の行Ｍは動画撮影の読み出し作業を示している。３番目の行Ｐは、静止画撮影の読み出し作業を示している。４番目の行ＨＶは、方向指示スイッチ１０４からの信号入力を示している。５番目の行は静止画撮影のレリーズスイッチ１０２の状態がＯＮかＯＦＦかを示している。６番目の行は動画画撮影の動画撮影開始スイッチ１０３の状態がＯＮかＯＦＦかを示している。
【００６４】
実際の撮影動作を、時刻とともに説明する。時刻ｔ＝１の前に、レリーズスイッチ１０２と動画撮影開始スイッチ１０３がＯＦＦからＯＮに代わり動画と静止画両方の撮影がスタートする。このとき、選手であるところの被写体がｏｂｊｅｃｔ１の位置にあるときＭｆｒａｍｅ１の１４４ピクセル動画像の読み出し作業時間をＭ１であり、図６では、ｔ＝１〜３の時間を要している。次いでｐｆｒａｍｅ１内の静止画画像２４×１６＝３８４ピクセルの静止画画像の読み出し作業をＰ１としｔ＝４〜１０の時間を要している。ｏｂｊｅｃｔ１の位置での動画と静止画の撮影情報の取得をｆ１（０．１秒）の時刻までに完了している。ｆ１の時刻までに方向指示スイッチ１０４からの入力が完了していれば静止画撮影枠ｐｆｒａｍｅ２の位置が変更される。ｆ１までに水平方向の移動を指定するＨ２が、「１５」，垂直方向の移動を指示するＶ２が「４」として方向指示スイッチより入力され、ｐｆｒａｍｅ２の位置が、（３７，１３）−（６０，２８）と確定している。よって、次の静止画撮影のｐｆｒａｍｅ２の位置を読み出すよう制御ＣＰＵ１０１は撮像ドライバー１１２に指示を出すことが可能であり、静止画撮影の位置の変更も問題なく行えるようになっている。
【００６５】
選手であるところの被写体がｏｂｊｅｃｔ２の位置にあるときＭｆｒａｍｅ１の１４４ピクセル動画像の読み出し作業をＭ２であり、ｔ＝１１〜１３の時間を要している。ｐｆｒａｍｅ２内の３８４ピクセルの静止画画像の読み出し作業がＰ２であり、ｔ＝１４〜２０の時間を要している。被写体がｏｂｊｅｃｔ２の位置にある時の動画と静止画の撮影情報の取得をｆ２（０．２秒）の時刻までに完了しているので動画規格内に動画と静止画の画像を取得できているため、両方の撮影が滞りなく完了できている。そして、ｆ２までに水平方向の移動を指定するＨ３、垂直方向の移動を指示するＶ３が方向指示スイッチより入力され、ｐｆｒａｍｅ３の位置が確定している。よって、次の静止画撮影のｐｆｒａｍｅ３の位置を読み出すよう制御ＣＰＵ１０１は撮像ドライバー１１２に指示を出すことが可能であり、静止画撮影の位置の変更も問題なく行えるようになっている。
【００６６】
同様に、選手であるところの被写体がｏｂｊｅｃｔ３の位置にあるときＭｆｒａｍｅ１の１４４ピクセル動画像の読み出し作業がＭ３であり、ｔ＝２１〜２３の時間。ｐｆｒａｍｅ３内の静止画画像３８４ピクセルの静止画画像の読み出し作業がＰ３であり、ｔ＝２４〜３０の時間を要している。ｏｂｊｅｃｔ３の位置での動画と静止画の撮影情報の取得をｆ３（０．３秒）の時刻までに完了しており、同様に動画規格内に動画と静止画の画像を取得できているため、両方の撮影が滞りなく完了できている。
【００６７】
この様にして、動画と静止画のシームレスな撮影を示すことができた。
【００６８】
また、これらの撮影中に、レリーズスイッチ１０２か動画撮影開始スイッチ１０３がＯＮからＯＦＦに変わればどちらかの撮影のみを中止することも可能である。たとえば、ｆ３までに水平方向の移動を指定するＨ４、垂直方向の移動を指示するＶ４が方向指示スイッチより入力され、ｐｆｒａｍｅ４に相当する位置が確定していたとしても。動画撮影取得作業中のＭ４の時間が終了するまでに、レリーズスイッチ１０２がＯＦＦにされると次の静止画撮影を中止することができる。静止画画像の読み出し作業Ｐ４は中止され、静止画撮影は行われない。そのためｆ４の時間までに動画撮影は完了しているので、動画撮影は継続されｏｂｊｅｃｔ４の位置の被写体までを捉えた動画撮影は行われるが、静止画撮影の画像は無いこととなる。
【００６９】
以上の様に図６の撮影方法で取得できた静止画画像はｏｂｊｅｃｔ１の位置の静止画が図４（ｄ）−１、動画像は、図４（ｅ）−１。ｏｂｊｅｃｔ２の位置の静止画が図４（ｄ）−２、動画像は、図４（ｅ）−２。ｏｂｊｅｃｔ３の位置の静止画が図４（ｄ）−３動画像は、図４（ｅ）−３。ｏｂｊｅｃｔ４の位置の静止画像は無く動画像は図４（ｅ）−４。となる。
【００７０】
ここでは、静止画を中止したが、動画のみを中止したり、両方を中止したあとに静止画のみを撮影したりすることも可能である。
【００７１】
本発明の様に、高精細な固体撮像素子１１３を使った動画と静止画の同時撮影の場合、全ての画素を読み出すと動画の規格に入ることができずシームレスな撮影ができないおそれがあったが、動画に必要な情報量に最適化させた間引き率で、広い範囲の画素を読み出し、静止画に必要とされる情報量にあわせた高精細な読み出しを行うことでどちらの撮影も必要画素数を取得しつつシームレスに撮影できることが可能となった。
【００７２】
以上、本発明の好ましい実施形態について説明したが、本発明はこれらの実施形態に限定されず、その要旨の範囲内で種々の変形及び変更が可能である。
【符号の説明】
【００７３】
１０１  制御ＣＰＵ
１０２  レリーズスイッチ
１０３  動画撮影開始スイッチ
１０４  方向指示スイッチ
１０５  倍率変更スイッチ
１０６  その他の各種スイッチ
１１０  レンズ
１１２  撮像ドライバー
１１３  固体撮像素子
１１４  撮像信号処理回路
１１５  メモリ部
１１６  モニター装置
１１７  記録媒体
ＦｒａｍｅＡ  第一の撮影時のフレーム
ＦｒａｍｅＢ  第二の撮影時のフレーム
ＦｒａｍｅＢ‘  第二の撮影時のフレーム
ＦｒａｍｅＢ“  第二の撮影時のフレーム
ＦｒａｍｅＣ  第二の撮影時のフレーム
ｏｂｊｅｃｔ１  被写体１
ｏｂｊｅｃｔ２  被写体２
ｏｂｊｅｃｔ３  被写体３
ｏｂｊｅｃｔ４  被写体４
Ｍｆｒａｍｅ１  動画時のフレーム１
ｐｆｒａｍｅ１  静止画のフレーム１
ｐｆｒａｍｅ２  静止画のフレーム２
ｐｆｒａｍｅ３  静止画のフレーム３
【図２（ａ）】
2012095216.tif 000003
【図２（ｂ）】
2012095216.tif 000004
【図１】
2012095216.tif 000005
【図２（ｃ）】
2012095216.tif 000006
【図２（ｄ）】
2012095216.tif 000007
【図２（ｅ）】
2012095216.tif 000008
【図３（ａ）】
2012095216.tif 000009
【図３（ｂ）】
2012095216.tif 000010
【図３（ｃ）】
2012095216.tif 000011
【図３（ｄ）】
2012095216.tif 000012
【図３（ｅ）】
2012095216.tif 000013
【図３（ｆ）】
2012095216.tif 000014
【図３（ｇ）】
2012095216.tif 000015
【図３（ｈ）】
2012095216.tif 000016
【図４（ａ）】
2012095216.tif 000017
【図４（ｂ）】
2012095216.tif 000018
【図４（ｃ）】
2012095216.tif 000019
【図４（ｄ）−１】
2012095216.tif 000020
【図４（ｄ）−２】
2012095216.tif 000021
【図４（ｄ）−３】
2012095216.tif 000022
【図４（ｅ）−１】
2012095216.tif 000023
【図４（ｅ）−２】
2012095216.tif 000024
【図４（ｅ）−３】
2012095216.tif 000025
【図４（ｅ）−４】
2012095216.tif 000026
【図５（ａ）】
2012095216.tif 000027
【図５（ｂ）】
2012095216.tif 000028
【図６】
2012095216.tif 000029